【手続補正書】
【提出日】平成18年10月13日(2006.10.13)
【手続補正１】
【補正対象書類名】明細書
【補正対象項目名】発明の名称
【補正方法】変更
【補正の内容】
【発明の名称】データ圧縮方法
【手続補正２】
【補正対象書類名】特許請求の範囲
【補正対象項目名】全文
【補正方法】変更
【補正の内容】
【特許請求の範囲】
【請求項１】
デジタルデータをｎサンプルのフレーム単位ごとに符号化するデータ圧縮方法において、
符号化対象の曲の終端部がｎサンプルに満たない場合、ｎサンプルに満たなかった部分に次の曲の先頭部分のデータ列を挿入して符号化を行い、  次の曲を符号化する際に、ｎサンプルに満たなかった部分に挿入したデータ列を次の曲から削除して符号化を行うことを特徴とするデータ圧縮方法。
【請求項２】
デジタルデータをｎサンプルのフレーム単位ごとに符号化するデータ圧縮方法において、
符号化対象の曲の終端部がｎサンプルに満たない場合、ｎサンプルに満たなかったフレームを削除して符号化を行うことを特徴とするデータ圧縮方法。
【請求項３】
請求項２に記載のデータ圧縮方法において、
次の曲を符号化する際に、削除したフレームに含まれるデータを次の曲の先頭部分に挿入して符号化を行うことを特徴とするデータ圧縮方法。
【請求項４】
デジタルデータをｎサンプルのフレーム単位ごとに符号化するデータ圧縮方法において、
符号化対象の曲の終端部がｎサンプルに満たない場合、ｎサンプルに満たなかった部分を補間できるように、過去の波形を間延びさせて符号化を行うことを特徴とするデータ圧縮方法。
【請求項５】
請求項４に記載のデータ圧縮方法において、
ｎサンプルに満たなかったサンプル数に応じて間延びさせる対象の過去の波形の長さを変化させることを特徴とするデータ圧縮方法。
【請求項６】
デジタルデータをｎサンプルのフレーム単位ごとに符号化するデータ圧縮方法において、
符号化対象の曲の終端部がｎサンプルに満たない場合、ｎサンプルに満たなかった部分に、直前のデータ列を満たなかったサンプル数分付加した後、符号化を行うことを特徴とするデータ圧縮方法。
【請求項７】
デジタルデータをｎサンプルのフレーム単位ごとに符号化するデータ圧縮方法において、
符号化対象の曲の終端部がｎサンプルに満たない場合、ｎサンプルに満たなかった部分に、直前のデータ列を満たなかったサンプル数分、時間軸に対して反転して付加した後、符号化を行うことを特徴とするデータ圧縮方法。
【請求項８】
デジタルデータをｎサンプルのフレーム単位ごとに符号化するデータ圧縮方法において、
符号化対象の曲の終端部がｎサンプルに満たない場合、ｎサンプルに満たなかった部分に、直前のデータ列を満たなかったサンプル数分、時間軸に対して反転し、さらに、反転したデータ列の符号を逆転して付加した後、符号化を行うことを特徴とするデータ圧縮方法。
【請求項９】
デジタルデータをｎサンプルのフレーム単位ごとに符号化するデータ圧縮方法において、
符号化対象の曲の終端部がｎサンプルに満たない場合、ｎサンプルに満たなかった部分に、予め定まった音データを挿入した後、符号化を行うことを特徴とするデータ圧縮方法。
【手続補正３】
【補正対象書類名】明細書
【補正対象項目名】０００７
【補正方法】変更
【補正の内容】
【０００７】
上述の目的を達成するため、本発明に係るデータ圧縮方法（１）は、デジタルデータをｎサンプルのフレーム単位ごとに符号化するデータ圧縮方法において、符号化対象の曲の終端部がｎサンプルに満たない場合、ｎサンプルに満たなかった部分に次の曲の先頭部分のデータ列を挿入して符号化を行い、  次の曲を符号化する際に、ｎサンプルに満たなかった部分に挿入したデータ列を次の曲から削除して符号化を行うことを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
また、本発明に係るデータ圧縮方法（２）は、デジタルデータをｎサンプルのフレーム単位ごとに符号化するデータ圧縮方法において、  符号化対象の曲の終端部がｎサンプルに満たない場合、ｎサンプルに満たなかったフレームを削除して符号化を行うことことを特徴とする。
【手続補正６】
【補正対象書類名】明細書
【補正対象項目名】００１０
【補正方法】変更
【補正の内容】
【００１０】
さらに、本発明に係るデータ圧縮方法（３）はデータ圧縮方法（２）において、次の曲を符号化する際に、削除したフレームに含まれるデータを次の曲の先頭部分に挿入して符号化を行うことを特徴とする。
【手続補正７】
【補正対象書類名】明細書
【補正対象項目名】００１１
【補正方法】変更
【補正の内容】
【００１１】
さらに、本発明に係るデータ圧縮方法（４）は、デジタルデータをｎサンプルのフレーム単位ごとに符号化するデータ圧縮方法において、  符号化対象の曲の終端部がｎサンプルに満たない場合、ｎサンプルに満たなかった部分を補間できるように、過去の波形を間延びさせて符号化を行うことを特徴とする。
【手続補正８】
【補正対象書類名】明細書
【補正対象項目名】００１２
【補正方法】変更
【補正の内容】
【００１２】
さらに、本発明に係るデータ圧縮方法（５）はデータ圧縮方法（４）において、ｎサンプルに満たなかったサンプル数に応じて間延びさせる対象の過去の波形の長さを変化させることを特徴とする。
【手続補正９】
【補正対象書類名】明細書
【補正対象項目名】００１３
【補正方法】変更
【補正の内容】
【００１３】
また、本発明に係るデータ圧縮方法（６）は、デジタルデータをｎサンプルのフレーム単位ごとに符号化するデータ圧縮方法において、  符号化対象の曲の終端部がｎサンプルに満たない場合、ｎサンプルに満たなかった部分に、直前のデータ列を満たなかったサンプル数分付加した後、符号化を行うことを特徴とする。
【手続補正１０】
【補正対象書類名】明細書
【補正対象項目名】００１４
【補正方法】変更
【補正の内容】
【００１４】
また、本発明に係るデータ圧縮方法（７）は、デジタルデータをｎサンプルのフレーム単位ごとに符号化するデータ圧縮方法において、  符号化対象の曲の終端部がｎサンプルに満たない場合、ｎサンプルに満たなかった部分に、直前のデータ列を満たなかったサンプル数分、時間軸に対して反転して付加した後、符号化を行うことを特徴とする。
【手続補正１１】
【補正対象書類名】明細書
【補正対象項目名】００１５
【補正方法】変更
【補正の内容】
【００１５】
また、本発明に係るデータ圧縮方法（８）は、デジタルデータをｎサンプルのフレーム単位ごとに符号化するデータ圧縮方法において、  符号化対象の曲の終端部がｎサンプルに満たない場合、ｎサンプルに満たなかった部分に、直前のデータ列を満たなかったサンプル数分、時間軸に対して反転し、さらに、反転したデータ列の符号を逆転して付加した後、符号化を行うことを特徴とする。
【手続補正１２】
【補正対象書類名】明細書
【補正対象項目名】００１６
【補正方法】変更
【補正の内容】
【００１６】
また、本発明に係るデータ圧縮方法（９）は、デジタルデータをｎサンプルのフレーム単位ごとに符号化するデータ圧縮方法において、  符号化対象の曲の終端部がｎサンプルに満たない場合、ｎサンプルに満たなかった部分に、予め定まった音データを挿入した後、符号化を行うことを特徴とするデータ圧縮方法。